【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
記録媒体を搬送する搬送ローラと、
記録媒体の搬送方向において前記搬送ローラの下流に配され、インクを吐出する記録ヘッドを搭載して前記搬送方向と交差する方向に往復移動するキャリッジと、
前記キャリッジを往方向に移動させながら前記記録ヘッドによって記録媒体に画像を記録する第１の記録制御と、前記キャリッジを復方向に移動させながら前記記録ヘッドによって前記記録媒体に画像を記録する第２の記録制御と、前記第１の記録制御と前記第２の記録制御との間に前記記録媒体を逆方向に搬送する搬送制御と、を行う制御手段と、を備えた記録装置において、
前記制御手段は、前記第１の記録制御において前記記録ヘッドから吐出されるインク量を、前記第２の記録制御において前記記録ヘッドから吐出されるインク量よりも少なくすることを特徴とする記録装置。
【請求項２】
前記搬送方向における前記記録ヘッドの下流に、前記記録ヘッドによって記録された記録媒体を排出する排出部を備えることを特徴とする請求項１に記載の記録装置。
【請求項３】
前記制御手段は、記録媒体の種類に基づいて、前記第１の記録制御において記録すべき画素数と、前記第２の記録制御において記録すべき画素数との比率を決定することを特徴とする請求項１または２に記載の記録装置。
【請求項４】
前記制御手段は、記録装置の使用環境に基づいて、前記第１の記録制御において記録すべき画素数と、前記第２の記録制御において記録すべき画素数との比率を決定することを特徴とする請求項１ないし３のいずれか１項に記載の記録装置。
【請求項５】
前記制御手段は、記録データから、特定の領域においてインクが吐出される画素数をカウントし、カウントされた前記画素数に基づいて、前記第１の記録制御において記録すべき画素数と、前記第２の記録制御において記録すべき画素数との比率を決定することを特徴とする請求項１ないし４のいずれか１項に記載の記録装置。
【請求項６】
前記記録ヘッドは複数の種類のインクを吐出可能に構成されており、
前記制御手段は、記録データから、特定の領域において各々のインクが吐出される画素数をカウントし、カウントされた各々のインクについての前記画素数の合計値に基づいて、前記第１の記録制御において記録すべき画素数と、前記第２の記録制御において記録すべき画素数との比率を決定することを特徴とする請求項１ないし５のいずれか１項に記載の記録装置。
【請求項７】
前記記録ヘッドは複数の種類のインクを吐出可能に構成されており、
前記制御手段は、記録データから、特定の領域において各々のインクが吐出される画素数をカウントし、カウントされた各々のインクについての前記画素数に各々のインクの特性に応じた係数を乗算して合計した値に基づいて、前記第１の記録制御において記録すべき画素数と、前記第２の記録制御において記録すべき画素数との比率を決定することを特徴とする請求項１ないし６のいずれか１項に記載の記録装置。
【請求項８】
前記記録ヘッドは複数の種類のインクを吐出可能に構成されており、
前記制御手段は、記録装置を構成する部材へ転写する特性を有するインクについて、前記第１の記録制御において前記記録ヘッドから吐出されるインク量を、前記第２の記録制御において前記記録ヘッドから吐出されるインク量よりも少なくすることを特徴とする請求項１ないし７のいずれか１項に記載の記録装置。
【請求項９】
前記記録ヘッドは複数の種類のインクを吐出可能に構成されており、
前記制御手段は、記録媒体へ付着することで前記記録媒体にコックリングを生じさせる特性を有するインクについて、前記第１の記録制御において前記記録ヘッドから吐出されるインク量を、前記第２の記録制御において前記記録ヘッドから吐出されるインク量よりも少なくすることを特徴とする請求項１ないし８のいずれか１項に記載の記録装置。
【請求項１０】
記録媒体を搬送する搬送ローラと、記録媒体の搬送方向において前記搬送ローラの下流に配され、インクを吐出する記録ヘッドを搭載して前記搬送方向と交差する方向に往復移動するキャリッジと、を有する記録装置を用いた記録方法であって、
前記キャリッジを往方向に移動させながら前記記録ヘッドによって記録媒体に画像を記録する第１の記録工程と、
前記キャリッジを復方向に移動させながら前記記録ヘッドによって前記記録媒体に画像を記録する第２の記録工程と、
前記第１の記録工程と前記第２の記録工程との間に前記記録媒体を逆方向に搬送する搬送工程と、を有し、
前記第１の記録工程において前記記録ヘッドから吐出されるインク量を、前記第２の記録工程において前記記録ヘッドから吐出されるインク量よりも少なくすることを特徴とする記録方法。
【手続補正２】
【補正対象書類名】明細書
【補正対象項目名】００１３
【補正方法】変更
【補正の内容】
【００１３】
本発明における記録装置は、記録媒体を搬送する搬送ローラと、記録媒体の搬送方向において前記搬送ローラの下流に配され、インクを吐出する記録ヘッドを搭載して前記搬送方向と交差する方向に往復移動するキャリッジと、前記キャリッジを往方向に移動させながら前記記録ヘッドによって記録媒体に画像を記録する第１の記録制御と、前記キャリッジを復方向に移動させながら前記記録ヘッドによって前記記録媒体に画像を記録する第２の記録制御と、前記第１の記録制御と前記第２の記録制御との間に前記記録媒体を逆方向に搬送する搬送制御と、を行う制御手段と、を備えた記録装置において、前記制御手段は、前記第１の記録制御において前記記録ヘッドから吐出されるインク量を、前記第２の記録制御において前記記録ヘッドから吐出されるインク量よりも少なくすることを特徴とする。
【手続補正３】
【補正対象書類名】明細書
【補正対象項目名】００１４
【補正方法】変更
【補正の内容】
【００１４】
また、本発明における記録方法は、記録媒体を搬送する搬送ローラと、記録媒体の搬送方向において前記搬送ローラの下流に配され、インクを吐出する記録ヘッドを搭載して前記搬送方向と交差する方向に往復移動するキャリッジと、を有する記録装置を用いた記録方法であって、前記キャリッジを往方向に移動させながら前記記録ヘッドによって記録媒体に画像を記録する第１の記録工程と、前記キャリッジを復方向に移動させながら前記記録ヘッドによって前記記録媒体に画像を記録する第２の記録工程と、前記第１の記録工程と前記第２の記録工程との間に前記記録媒体を逆方向に搬送する搬送工程と、を有し、前記第１の記録工程において前記記録ヘッドから吐出されるインク量を、前記第２の記録工程において前記記録ヘッドから吐出されるインク量よりも少なくすることを特徴とする。
【手続補正４】
【補正対象書類名】明細書
【補正対象項目名】００３５
【補正方法】変更
【補正の内容】
【００３５】
本実施例においては定着性の異なるインクに応じて記録比率を変更する方法について説明した。これと同様に、記録媒体へ付着することで記録媒体を変形させる特性、例えばコックリング特性が異なるインクに対しても同様に記録比率を変更するようにすればよい。例えば、Ｍインクが特にコックリングを発生させ易い特性を有している場合には、−Ｙ方向へ記録媒体を送る直前の記録走査において、Ｍインクの記録データのみ記録比率を下げるように設定すればよい。また、本実施例では、−Ｙ方向へ記録媒体を送る直前の記録走査において、記録比率を３０％に低下させたが、記録比率を３０％にする必要はなく、インク毎の定着性やコックリング特性によって最適な比率に設定すればよい。